(57)【要約】【課題】反射フードの設計および製造が簡単である自転車用照明ランプを提供する。【解決手段】  本考案の自転車用照明ランプは座体１０、反射フード２０及び照明ユニット３０を備える。座体１０は筒状に形成されており自転車に設置可能である。座体１０には収納槽１１が形成されている。反射フード２０および照明ユニット３０は収納槽１１内に収容されている。照明ユニット３０は反射フード２０に向かって光線を投射する。反射フード２０には、収納槽１１の外側に面する反射曲面２１を有し、反射曲面２１は複数の反射エリアを有し、隣接する反射エリアの間には段差面が形成されている。【選択図】  図２
0003181476.tif 000002
【実用新案登録請求の範囲】
【請求項１】
自転車に設置可能であり、収納槽が形成されている筒状の座体と、
前記収納槽内に設置されており、前記収納槽の外側に面し複数の反射エリアおよび互いに隣接する前記反射エリアを連接する段差面を有する反射曲面が形成されている反射フードと
前記収納槽内に設けられ、前記反射フードに向かって発光する照明ユニットと、を備えることを特徴とする自転車用照明ランプ。
【請求項２】
前記反射フードは、
前記照明ユニットから離れるにしたがって第一反射エリア、第二反射エリア、第三反射エリア及び第四反射エリアを有し、
前記第一反射エリアの反射光と、前記座体の軸方向と平行する直線である水平基準線との間の角度が略１２°になり、
前記第二反射エリアの反射光と、前記水平基準線との間の角度が略２°になり、
前記第三反射エリアの反射光と、前記水平基準線との間の角度が略１°になり、
前記第四反射エリアの反射光と前記水平基準線とが平行になるよう形成されていることを特徴とする請求項１記載の自転車用照明ランプ。
【請求項３】
前記反射フードは、
前記照明ユニットから離れるにしたがって第一反射エリア、第二反射エリア、第三反射エリア、及び第四反射エリアを有し、
前記第一反射エリア、前記第二反射エリア、前記第三反射エリア、及び前記第四反射エリアが並んでいる方向の縦断面上において、
前記照明ユニットを始点とし前記反射曲面の両端を終点とする二本の線分の間の角度が９０°以下となり、
前記照明ユニットを始点とし、前記第一反射エリアの両端を終点とする二本の線分の間の角度が略２０°となり、
前記照明ユニットを始点とし、前記第二反射エリアの両端を終点とする二本の線分の間の角度が略２０°となり、
前記照明ユニットを始点とし、前記第三反射エリアの両端を終点とする二本の線分の間の角度が略２０°となり、
前記照明ユニットを始点とし、前記第四反射エリアの両端を終点とする二本の線分の間の角度が略２５°となるよう形成されていることを特徴とする請求項１記載の自転車用照明ランプ。
【請求項４】
前記段差面と前記段差面に照射される光線とは略平行となり、
前記段差面と当該段差面に接続されている前記反射エリアとの接続個所は、曲面を有することを特徴とする請求項１記載の自転車用照明ランプ。
【請求項５】
前記照明ユニットは、投射される光線の中心軸が、前記座体の軸方向と平行する直線である水平基準線に対して４５°傾斜するよう設けられていることを特徴とする請求項１記載の自転車用照明ランプ。
【考案の詳細な説明】
【技術分野】
【０００１】
本考案は、自転車用部品に関し、特に自転車用照明ランプ（ｌａｍｐ）に関するものである。
【背景技術】
【０００２】
自転車用照明ランプは、使用者の騎乗時の安全のためであり、特に夜間またはトンネル（ｔｕｎｎｅｌ）の中の照明不足の環境に於いて、使用者が路面の状況を確認するのに必要な照明を提供する。また、自転車用照明ランプは、対向から来る車に注意を与える機能を有する。
【０００３】
上記目的を達成するため、一部の国家、区域では、自転車用照明ランプの標準的な仕様が定められている。自転車用照明ランプの標準が最も厳しく決められているのがドイツ（Ｄｅｕｔｓｃｈ）である。例えば、ドイツのＳｔＶＺＯ（道路通行取締法）のＴＡ２３では自転車用照明ランプに対して厳しく要求されている。ＳｔＶＺＯのＴＡ２３では、自転車用照明ランプの照射角度内において、１０ｍ先での明るさ（ルクス）を測定し、明るさが次の表１に記載された基準値を満たさなければならないと規定されている。表１中の角度は、測定位置と光源とを連結する線と、光源の中心線との間の角度である。また、表１に示すように、測定位置が光源の真正面に位置する場合（左右方向の角度が０°、上下方向の角度が０°である位置）の照度は２０ルクス（ｌｘ）より大きく要求され、縦方向の角度が３．４°より大きくなる場合に照度は２ルクスより小さく要求されている。光源の真正面の左右、または真下のエリアの照明度は真正面（左右方向の角度が０°、上下方向の角度が０°である場合）の照明度の二分の一より大きく要求されている。
【表１】
0003181476.tif 000003
【０００４】
特許文献1に記載の自転車のフロントランプは、図６に示すように、反射フード（ｈｏｏｄ）  （３）は異なる位置に於いて異なる曲率の反射面を有する。よって特定の照明エリア（ａｒｅａ）内の照明がドイツのＳｔＶＺＯの基準を満たす。
【先行技術文献】
【特許文献】
【０００５】
【特許文献１】欧州特許第ＥＰ２１５７００９号明細書
【考案の概要】
【考案が解決しようとする課題】
【０００６】
ところが、特許文献１に記載の自転車のフロントランプは、異なる曲率の反射面の間が連続延伸される方式により連接されている。すなわち曲率の変化は連続性を有し、反射面は予め設定された角度で反射するようになっている。多くの条件が互いに影響するため、反射面の加工コスト、および、反射フードの製造コストが高くなるおそれがある。
【０００７】
本考案の目的は、反射フードの設計および製造が簡単である自転車用照明ランプを提供することにある。
【課題を解決するための手段】
【０００８】
上記目的を達成するために、本考案の自転車用照明ランプは、座体、反射フード及び照明ユニット（ｕｎｉｔ）を備える。座体は筒状に形成されており自転車に設置可能である。座体には収納槽が形成されている。反射フードおよび照明ユニットは収納槽内に収容されている。照明ユニットは反射フードに向かって光線を投射する。反射フードには、収納槽の外側に面する反射曲面を有し、反射曲面は複数の反射エリアを有し、隣接する反射エリアの間には段差面が形成されている。
【０００９】
本考案の反射フードは異なる反射エリアの間に段差面を有し、曲率の変化の連続性を保持していない。反射エリアに投射された光線は自由に反射されることができる。上側に位置する反射エリアは反射光線を近く投射することに適し、下側に位置する反射エリアは反射光線を遠く投射することに適する。したがって、異なる高さの反射エリアは異なる投射ニーズ（ｎｅｅｄｓ）に対応している。本考案は、隣接する反射エリアの間を段差面連接にすることで、反射エリアの設計および製造が簡単となり、人力および金銭のコストを低減することができる。
【図面の簡単な説明】
【００１０】
【図１】本考案の一実施形態による自転車用照明ランプの斜視図である。
【図２】本考案の一実施形態による自転車用照明ランプの分解斜視図である。
【図３】本考案の一実施形態による自転車用照明ランプの縦断面図である。
【図４】本考案の一実施形態による自転車用照明ランプの縦断面図である。
【図５】本考案の一実施形態による自転車用照明ランプの縦断面図である。
【図６】本考案の一実施形態による自転車用照明ランプの特性図である。
【考案を実施するための形態】
【００１１】
本考案の実施形態による自転車用照明ランプを図面に基づいて説明する。なお、実施形態中の各種異なる部品は、説明の便宜のための比例、寸法、変形量または移行量によって描いたものであり、実際の部品の比例によって画いたものではない。また、実質同一の部品には同じ符号を付して説明する。
【００１２】
（一実施形態）
本考案の一実施形態を図１から図３に示す。本実施形態の自転車用照明ランプは、座体１０、反射フード２０、照明ユニット３０及び透明レンズ（ｌｅｎｓ）４０を備える。
【００１３】
座体１０は筒状に形成され自転車に設置されている。座体１０には収納槽１１が形成されている。反射フード２０および照明ユニット３０は収納槽１１に設置されている。また、透明レンズ４０及び必要な電力供給装置（例えば電池セット（ｓｅｔ）（図面に示されていない）及び電線（図面に示されていない））が設けられている。
【００１４】
照明ユニット３０は、反射フード２０に向かって光線を投射する。例えば、高質発光ダイオード（Ｈｉｇｈ  ｐｅｒ−  ｆｏｒｍａｎｃｅ  ｌｉｇｈｔ  ｅｍｉｔｔｉｎｇ  ｄｉｏｄｅ）を照明ユニット３０に適用することができる。また、照明ユニット３０は、投射される光線の中心軸が、座体１０の軸方向と平行する直線である仮想の水平基準線に対して４５°傾斜するよう設けられている。よって、光線が反射フード２０の表面に投射されるようになる。
【００１５】
反射フード２０は、矩形に形成され、収納槽１１の外側に面している反射曲面２１を有する。反射曲面２１には、面方向の一端から他端まで順番に並んでいる複数の反射エリアである第一反射エリア２１１、第二反射エリア２１２、第三反射エリア２１３、第四反射エリア２１４が形成されている。ここで、第一反射エリア２１１、第二反射エリア２１２、第三反射エリア２１３、及び第四反射エリア２１４が並んでいる方向を「上下方向」とし、上下方向と直交する方向を「左右方向」とする。互いに隣接する二つの反射エリア（例えば第一反射エリア２１１と第二反射エリア２１２）の間には段差面２２が形成されている。段差面２２は、照明ユニット３０により投射される光線と略平行になるよう形成されている。また、段差面２２と反射エリア（例えば第一反射エリア２１１、第二反射エリア２１２）との接続個所は曲面を有する。
【００１６】
透明レンズ４０は、座体１０の開口に設けられている。反射フード２０は、座体１０と透明レンズ４０との間の空間内に収容される。よって、防水、防塵等の効果が得られる。ここで、透明レンズ４０に、若干異なる屈折率を有する屈折エリアを形成することとしても良い。これにより、反射フード２０から反射された反射光を屈折し、集光、散光または其の他屈折効果が得られる。
【００１７】
図４に示すように、照明ユニット３０の光線が複数の反射エリアに投射された場合、第四反射エリア２１４の反射光Ｌ４は水平基準線Ｈ（座体の長手方向に平行する直線）と平行になり、第一反射エリア２１１、第一反射エリア２１２、および第一反射エリア２１３の反射光Ｌ１、Ｌ２、Ｌ３は水平基準線Ｈとの間で所定角度を形成する。例えば、第一反射エリア２１１の反射光Ｌ１と、水平基準線Ｈとの間の角θ５が略１２°になり、第二反射エリア２１２の反射光Ｌ２と、水平基準線Ｈとの間の角θ６が略２°になり、第三反射エリア２１３の反射光Ｌ３と、水平基準線Ｈとの間の角θ７が略１°になり、第四反射エリア２１４の反射光Ｌ４と水平基準線Ｈとが平行となる。より高い反射エリア（例えば第一反射エリア２１１）は反射光を近い地面に投射するのに適し、より低い反射エリア（例えば第四反射エリア２１４）は反射光を遠く投射するのに適する。
【００１８】
図５に示すように、上下方向の縦断面上に於いて、照明ユニット３０を始点とし反射曲面２１の両端を終点とする二本の線分Ｌ５とＬ９との間の角度は９０°より小さい。また、照明ユニット３０を始点とし第一反射エリア２１１の両端終点とする二本の線分Ｌ５とＬ６との間の角θ１は略２０°であり、照明ユニット３０を始点とし第二反射エリア２１２の両端を終点とする二本の線分Ｌ６とＬ７との間の角θ２は略２０°であり、照明ユニット３０を始点とし第三反射エリア２１３の両端を終点とする二本の線分Ｌ７とＬ８との間の角θ３は略２０°であり、照明ユニット３０を始点とし第四反射エリア２１４の両端を終点とする二本の線分Ｌ８とＬ９との間の角θ４は略２５°である。反射曲面２１全体の縦方向延伸角度（線分Ｌ５とＬ９との間の角度）は略８５°である（９０°を越えない）。また、第一反射エリア２１１〜第三反射エリア２１３は略同じの反射領域を有し、第四反射エリア２１４反射領域は第一反射エリア２１１〜第三反射エリア２１３の反射領域より大きい。よって、自転車用照明ランプにより、自転車の先進方向に充分な照明を提供することができる。
【００１９】
図６に示すのは、ＳｔＶＺＯ  ＴＡ２３に基づいて測定された照明度である。ここで、照明ユニットは２４ルミナンス（ｌｕｍｉｎａｎｃｅ）のＬＥＤであり、測定により得られた数値は次の表２の通りである。
【表２】
0003181476.tif 000004
【００２０】
表２の値と表１の値とを比較すると、本実施形態の自転車用照明ランプがＳｔＶＺＯ  ＴＡ２３の基準を満たしていることが分かる。
【００２１】
また、図２に示すように、本実施形態の反射フード２０には側反射板２３がさらに形成されている。側反射板２３は、反射曲面２１の左右方向の両端から左右方向および上下方向に直交する方向に立設されている。側反射板２３は、発光ユニット３０の左右方向に投射される光線を反射することができる。側反射板２３の投射エリアについては、図６に示すエリア２３ａを参考することができる。側反射板２３は、左右方向に補助照明を提供することができる。
【００２２】
本考案の異なる反射エリアの間は非連続性の段差が適用されているので、反射曲面の設計がより簡略化になる。また、自転車用照明ランプの投射光線は、予定区域まで届くことができ、ドイツの標準を満たしし、産業界のニーズを満足していると言える。
【００２３】
本考案は、上述した実施形態に限定されるものではなく、考案の趣旨を逸脱しない範囲で種々の形態で実施可能である。
【符号の説明】
【００２４】
１０・・・座体、
１１・・・収納槽、
２０・・・反射フード、
２１・・・反射曲面、
２１１、２１２、２１３、２１４・・・反射エリア、
２２・・・段差面、
２３・・・側反射板、
４０・・・透明レンズ、
Ｌ１、Ｌ２、Ｌ３、Ｌ４・・・反射光、
Ｌ５、Ｌ６、Ｌ７、Ｌ８・・・線分、
Ｈ・・・水平基準線、
θ１・・・角、
θ２・・・角、
θ３・・・角。
【図１】
0003181476.tif 000005
【図２】
0003181476.tif 000006
【図３】
0003181476.tif 000007
【図４】
0003181476.tif 000008
【図５】
0003181476.tif 000009
【図６】
0003181476.tif 000010